(57)【要約】【課題】画面を切り替える際の表示方法を変化させることにより、チャンネル切替表示が画一的ではない付加価値を有する映像受信装置を提供すること。【解決手段】ユーザからチャンネル切替操作がなされると、まず現在受信しているチャンネルの映像データに基づいて表示されている切替前の表示画面に対して切替前表示画面更新処理が実行される。所定の表示パターンに従って表示画面の更新が終了すると、チューナを切り替えて新たなチャンネルを受信する。そして、切替後表示画面更新処理が実行されることにより、所定の表示パターンに従って切り替えたチャンネルの表示画面が表示されることとなる。【選択図】図１
2007129515.tif 000002
【特許請求の範囲】
【請求項１】
複数のチャンネルの中から一のチャンネルを受信する受信手段と、前記受信手段により受信されたチャンネルの映像を表示画面に表示する制御を行う映像表示制御手段を備えた映像表示制御装置において、
前記受信手段により受信するチャンネルを切り替えるチャンネル切替手段と、
前記チャンネル切替手段によりチャンネルが切り替えられた場合に、切替前のチャンネルの表示画面から、切り替え後のチャンネルの表示画面に更新する表示画面更新手段と、
表示画面を切り替える際の表示パターンを記憶する表示パターン記憶手段と、
を備え、
前記表示画面更新手段は、
前記表示パターン記憶手段に記憶された表示パターンに基づいて切替前の表示画面からミュート画面に表示画面を更新する切替前表示画面更新手段と、
前記表示パターン記憶手段に記憶された表示パターンに基づいてミュート画面から切替後の表示画面に表示画面を更新する切替後表示画面更新手段と、
を有することを特徴とする映像表示制御装置。
【請求項２】
前記表示パターンは、切替前表示画面更新手段が表示画面を更新する際は、切替前の表示画面を所定の大きさまで縮小表示することによりミュート画面を表示する表示パターンと、切替後表示画面更新手段が表示画面を更新する際は、前記所定の大きさから拡大表示する表示パターンを含むことを特徴とする請求項１に記載の映像表示制御装置。
【請求項３】
前記表示パターンは、切替前表示画面更新手段が表示画面を更新する際は、表示画面の上方から下方にかけてミュート画面を段階的に表示する表示パターンと、切替後表示画面更新手段が表示画面を更新する際は、表示画面の上方から下方にかけて切替後の表示画面を段階的に表示する表示パターンを含むことを特徴とする請求項１に記載の映像表示制御装置。
【請求項４】
前記表示パターンは、切替前表示画面更新手段が表示画面を更新する際は、切替前の表示画面を表示する表示位置と、切替後表示画面更新手段が表示画面を更新する際の表示位置をランダムに可変する手段を含むことを特徴とする請求項１に記載の映像表示制御装置。
【請求項５】
前記表示パターンは、切替前表示画面更新手段が表示画面を更新する際は、切替前の表示画面を所定の大きさまで縮小及び色彩を落として表示することによりミュート画面を表示する表示パターンと、切替後表示画面更新手段が表示画面を更新する際は、前記所定の大きさから拡大及び色彩をつけるように表示する表示パターンを含むことを特徴とする請求項１に記載の映像表示制御装置。
【請求項６】
前記表示パターンには前記表示画面更新手段が表示画面を切り替える際の切替時間が併せて記憶されており、
前記表示画面更新手段は、前記切替時間に基づいて表示画面を更新することを特徴とする請求項１から５のいずれか一項に記載の映像表示制御装置。
【請求項７】
複数のチャンネルの中から一のチャンネルを受信する受信手段と、前記受信手段により受信されたチャンネルの映像を表示画面に表示する制御を行う映像表示制御手段を備えた映像表示制御装置において、
前記受信手段により受信するチャンネルを切り替えるチャンネル切替手段と、
前記チャンネル切替手段によりチャンネルが切り替えられた場合に、切替前のチャンネルの表示画面から、切り替え後のチャンネルの表示画面に更新する表示画面更新手段と、
表示画面を切り替える際の表示パターンを記憶する表示パターン記憶手段と、
を備え、
前記表示画面更新手段は、前記表示パターン記憶手段に記憶された表示パターンに基づいて切替前の表示画面から切替後の表示画面に表示画面を更新することを特徴とする映像表示制御装置。
【請求項８】
前記表示パターンは、切替前表示画面更新手段が表示画面を更新する際は、切替前の表示画面を所定の大きさまで縮小表示し、切替後表示画面更新手段が表示画面を更新する際は、前記所定の大きさから拡大表示する表示パターンを含むことを特徴とする請求項７に記載の映像表示制御装置。
【請求項９】
前記表示パターンは、切替前表示画面更新手段が表示画面を更新する際は、表示画面の上方から下方にかけて段階的に表示する表示パターンと、切替後表示画面更新手段が表示画面を更新する際は、表示画面の上方から下方にかけて切替後の表示画面を段階的に表示する表示パターンを含むことを特徴とする請求項７に記載の映像表示制御装置。
【請求項１０】
前記表示パターンは、切替前表示画面更新手段が表示画面を更新する際は、切替前の表示画面を表示する表示位置と、切替後表示画面更新手段が表示画面を更新する際の表示位置をランダムに可変する手段を含むことを特徴とする請求項７に記載の映像表示制御装置。
【請求項１１】
前記表示パターンは、切替前表示画面更新手段が表示画面を更新する際は、切替前の表示画面を所定の大きさまで縮小及び色彩を落として表示する表示パターンと、切替後表示画面更新手段が表示画面を更新する際は、前記所定の大きさから拡大及び色彩をつけるように表示する表示パターンを含むことを特徴とする請求項７に記載の映像表示制御装置。
【発明の詳細な説明】
【技術分野】
【０００１】
本発明は、映像表示制御装置に関する。
【背景技術】
【０００２】
ユーザにより選局されたチャンネルに対応する放送波を受信し、受信した放送波を復調して映像として出力するテレビ等の映像表示制御装置が知られている。この映像表示制御装置において、ユーザの選局により受信するチャンネルが切り替わり、このチャンネルを切り替えて表示する際に、映像が過渡的に乱れることが知られている。この映像の乱れは、映像表示制御装置に内蔵されているチューナのバンドスイッチの切替及びチューニング電圧の変化によって生じるものであり、その変化する過渡期間、映像が乱れた状態で出力されることとなる。
【０００３】
ところが、映像の乱れは例えば０．５秒程度と短時間であるものの、映像が乱れている状態は利用者にとって見苦しい状態として感じられてしまう。また、利用者の中には、当該映像の乱れが装置の故障であると誤認してしまう場合がある。
【０００４】
そこで、当該映像の乱れを目立たなくするために、チャンネル切替時に、映像を黒レベルまで引き下げることにより、映像が表示されない状態となる画面（以下、この画面を「ミュート画面」という。）を挿入する技術が知られている（例えば、特許文献１、特許文献２参照）。
【０００５】
ミュート画面が挿入されることにより、利用者に映像の乱れを表示させることなく、チャンネルの切替処理を行うことが出来るようになる。
【特許文献１】特開平５−３２８２３９号公報
【特許文献２】特開２００３−２６４７８０号公報
【発明の開示】
【発明が解決しようとする課題】
【０００６】
しかしながら、これらミュート処理が施されることにより、黒い画面（ミュート画面）がチャンネルを切り替える際には必ず挿入されてしまう。この画面はチャンネルを切り替える度に画一的に挿入されてしまうため、利用者にとっては、煩わしいと感じられることもあった。さらに、一瞬黒い画面（ミュート画面）になるため、電源が消えた状態となったのかと誤認してしまう場合もあった。
【０００７】
また、近年、利用者のニーズは多様化しており、映像表示制御装置等に付加価値を求める要望も高まっている。この際、チャンネルを切り替える際に、単に画面を黒くする（ミュート画面にする）だけではなく、種々の効果を加えることにより、従来の映像表示制御装置とは異なった動作をする装置であると利用者は感じ、商品選択の際の一つの要素となりうる場合もある。
【０００８】
そこで、上述した課題に鑑み、本発明が目的とするところは、画面を切り替える際の表示方法を変化させることにより、チャンネル切替表示が画一的ではない付加価値を有する映像受信装置を提供することである。
【課題を解決するための手段】
【０００９】
上記の課題を解決するために、第１の発明の映像表示制御装置は、複数のチャンネルの中から一のチャンネルを受信する受信手段と、前記受信手段により受信されたチャンネルの映像を表示画面に表示する制御を行う映像表示制御手段を備えた映像表示制御装置において、前記受信手段により受信するチャンネルを切り替えるチャンネル切替手段と、前記チャンネル切替手段によりチャンネルが切り替えられた場合に、切替前のチャンネルの表示画面から、切り替え後のチャンネルの表示画面に更新する表示画面更新手段と、表示画面を切り替える際の表示パターンを記憶する表示パターン記憶手段と、を備え、前記表示画面更新手段は、前記表示パターン記憶手段に記憶された表示パターンに基づいて切替前の表示画面からミュート画面に表示画面を更新する切替前表示画面更新手段と、前記表示パターン記憶手段に記憶された表示パターンに基づいてミュート画面から切替後の表示画面に表示画面を更新する切替後表示画面更新手段と、を有することを特徴とする。
【００１０】
また、第２の発明は、第１の発明の映像表示制御装置において、前記表示パターンは、切替前表示画面更新手段が表示画面を更新する際は、切替前の表示画面を所定の大きさまで縮小表示することによりミュート画面を表示する表示パターンと、切替後表示画面更新手段が表示画面を更新する際は、前記所定の大きさから拡大表示する表示パターンを含むことを特徴とする。
【００１１】
また、第３の発明は、第１の発明の映像表示制御装置において、前記表示パターンは、切替前表示画面更新手段が表示画面を更新する際は、表示画面の上方から下方にかけてミュート画面を段階的に表示する表示パターンと、切替後表示画面更新手段が表示画面を更新する際は、表示画面の上方から下方にかけて切替後の表示画面を段階的に表示する表示パターンを含むことを特徴とする。
【００１２】
また、第４の発明は、第１の発明の映像表示制御装置において、前記表示パターンは、切替前表示画面更新手段が表示画面を更新する際は、切替前の表示画面を表示する表示位置と、切替後表示画面更新手段が表示画面を更新する際の表示位置をランダムに可変する手段を含むことを特徴とする。
【００１３】
また、第５の発明は、前記表示パターンは、切替前表示画面更新手段が表示画面を更新する際は、切替前の表示画面を所定の大きさまで縮小及び色彩を落として表示することによりミュート画面を表示する表示パターンと、切替後表示画面更新手段が表示画面を更新する際は、前記所定の大きさから拡大及び色彩をつけるように表示する表示パターンを含むことを特徴とする。
【００１４】
また、第６の発明は、第１から第３の発明のうちいずれか一つの映像表示制御装置において、前記表示パターンには前記表示画面更新手段が表示画面を切り替える際の切替時間が併せて記憶されており、前記表示画面更新手段は、前記切替時間に基づいて表示画面を更新することを特徴とする。
【００１５】
第７の発明の映像表示制御装置は、複数のチャンネルの中から一のチャンネルを受信する受信手段と、前記受信手段により受信されたチャンネルの映像を表示画面に表示する制御を行う映像表示制御手段を備えた映像表示制御装置において、前記受信手段により受信するチャンネルを切り替えるチャンネル切替手段と、前記チャンネル切替手段によりチャンネルが切り替えられた場合に、切替前のチャンネルの表示画面から、切り替え後のチャンネルの表示画面に更新する表示画面更新手段と、表示画面を切り替える際の表示パターンを記憶する表示パターン記憶手段と、を備え、前記表示画面更新手段は、前記表示パターン記憶手段に記憶された表示パターンに基づいて切替前の表示画面から切替後の表示画面に表示画面を更新することを特徴とする。
【００１６】
また、第８の発明は、第７の発明の映像表示制御装置において、前記表示パターンは、切替前表示画面更新手段が表示画面を更新する際は、切替前の表示画面を所定の大きさまで縮小表示し、切替後表示画面更新手段が表示画面を更新する際は、前記所定の大きさから拡大表示する表示パターンを含むことを特徴とする。
【００１７】
また、第９の発明は、第７の発明の映像表示制御装置において、前記表示パターンは、切替前表示画面更新手段が表示画面を更新する際は、表示画面の上方から下方にかけて段階的に表示する表示パターンと、切替後表示画面更新手段が表示画面を更新する際は、表示画面の上方から下方にかけて切替後の表示画面を段階的に表示する表示パターンを含むことを特徴とする。
【００１８】
また、第１０の発明は、第７の発明の映像制御装置において、前記表示パターンは、切替前表示画面更新手段が表示画面を更新する際は、切替前の表示画面を表示する表示位置と、切替後表示画面更新手段が表示画面を更新する際の表示位置をランダムに可変する手段を含むことを特徴とする。
【００１９】
また、第１１の発明は、第７の発明の映像制御装置において、前記表示パターンは、切替前表示画面更新手段が表示画面を更新する際は、切替前の表示画面を所定の大きさまで縮小及び色彩を落として表示する表示パターンと、切替後表示画面更新手段が表示画面を更新する際は、前記所定の大きさから拡大及び色彩をつけるように表示する表示パターンを含むことを特徴とする。
【発明の効果】
【００２０】
第１の発明によれば、チャンネルを切り替えて表示画面を更新する場合に、表示パターンに基づいて切替前の表示画面からミュート画面に更新することができ、また、表示パターンに基づいてミュート画面から切替後の表示画面に更新することができる。したがって、画一的にミュート画面が挿入されることなく、表示パターンに従って様々な表示を行うことが可能となり、より付加価値の高い映像表示制御装置を提供することができる。
【００２１】
第２の発明によれば、チャンネルを切り替えて表示画面を更新する場合に、切替前の表示画面が所定の大きさまで縮小表示され、また、切替後の表示画面が所定の大きさから拡大（等倍サイズになるように）表示されることとなる。したがって、画一的なミュート画面が挿入する場合と比較して、より趣向の凝らした演出を行うことが可能となり、映像表示制御装置に付加価値をつけることが可能となる。
【００２２】
さらに、切替前の表示画面及び切替後の表示画面が縮小・拡大表示にて画面が切り替わることにより、連続的に表示されることとなり、スムーズなチャンネル表示の切り替えがなされることとなる。
【００２３】
第３の発明によれば、表示画面を切り替える際に上方から下方にかけて段階的に表示されることとなる。したがって、画一的に表示画面が切り替わる場合と比較して、より趣向の凝らした方法を利用することが出来るようになる。
【００２４】
第４の発明によれば、表示画面を切り替えて更新表示する際に、表示位置をランダムに可変して表示することが出来るようになる。
【００２５】
第５の発明によれば、切替前の表示画面を所定の大きさまで縮小及び色彩を落として表示することによりミュート画面を表示することができ、切替後の表示画面を更新する際には、拡大及び色彩をつけるように表示することができることとなる。
【００２６】
第６の発明によれば、表示画面を切り替える際の切替時間が、切替時間に基づいて行われることとなる。
【００２７】
第７の発明によれば、チャンネルを切り替えて表示画面を更新する場合に、表示パターンに基づいて切替前の表示画面から、切替後の表示画面に更新することができるようになる。したがって、ミュート画面を挿入することなく、表示画面を更新することができるようになる。
【００２８】
第８の発明によれば、チャンネルを切り替えて表示画面を更新する場合に、切替前の表示画面が所定の大きさまで縮小表示され、また、切替後の表示画面が所定の大きさから拡大（等倍サイズになるように）表示されることとなる。したがって、画一的なミュート画面が挿入する場合と比較して、より趣向の凝らした演出を行うことが可能となり、映像表示制御装置に付加価値をつけることが可能となる。
【００２９】
さらに、切替前の表示画面及び切替後の表示画面が縮小・拡大表示にて画面が切り替わることにより、連続的に表示されることとなり、スムーズなチャンネル表示の切り替えがなされることとなる。
【００３０】
第９の発明によれば、表示画面を切り替える際に上方から下方にかけて段階的に表示されることとなる。したがって、画一的に表示画面が切り替わる場合と比較して、より趣向の凝らした方法を利用することが出来るようになる。
【００３１】
第１０の発明によれば、表示画面を切り替えて更新表示する際に、表示位置をランダムに可変して表示することが出来るようになる。
【００３２】
第１１の発明によれば、切替前の表示画面を所定の大きさまで縮小及び色彩を落として表示することによりミュート画面を表示することができ、切替後の表示画面を更新する際には、拡大及び色彩をつけるように表示することができることとなる。
【発明を実施するための最良の形態】
【００３３】
続いて、本発明を適用した場合における映像表示制御装置について説明する。
【００３４】
［構成］
図１は、本発明の映像表示制御装置１を示したブロック図である。映像表示制御装置１は、外部アンテナＡＮＴと、ＬＣＤパネル３とが接続されている。外部アンテナＡＮＴにより、放送局から送信された放送波を受信信号として受信し、映像データへ変換してＬＣＤパネル３へ出力する。
【００３５】
映像表示制御装置１は、チューナ回路１０と、映像処理回路２０と、表示制御回路３０と、ＬＣＤパネルコントロール回路４０と、制御回路５０と、記憶部６０と、入力部７０とを備えて構成されている。また、記憶部６０には、表示パターンデータ格納領域６０２と、設定表示パターン格納領域６０４との領域が確保されており、メインプログラム６１０と、チャンネル切替プログラム６１２と、切替前表示画面更新プログラム６１４と、切替後表示画面更新プログラム６１６とを含んで記憶している。
【００３６】
チューナ回路１０は、外部アンテナＡＮＴから入力された受信信号から、所定のチャンネルに対応する周波数の信号を抽出し、放送信号として映像処理回路２０に出力する回路である。ここで、チューナ回路が受信する放送波は、通常の地上波のアナログ／デジタルテレビ放送や、衛星放送、ＣＡＴＶ等のいずれの放送波であってもよいことは勿論である。また、チューナ回路１０の構成は、公知であるチューナ回路の構成と同じであり、その詳細な説明は省略する。
【００３７】
映像処理回路２０は、チューナ回路１０から入力された放送信号から映像信号を抽出する回路である。映像処理回路２０としては、通常の映像処理回路から構成されており、例えばアナログテレビ放送であれば、チューナ回路１０から入力された放送信号から、映像検波することによりＮＴＳＣカラー復号信号を抽出する。そして、抽出されたＮＴＳＣカラー復号信号から輝度信号及び色信号を抽出し、この信号を映像信号として表示制御回路３０に出力する。また、地上波デジタル放送を受信する場合は、チューナ回路１０から入力された放送信号から、ＴＳ（トランスポート・ストリーム）を抽出し、ＴＳを映像信号として表示制御回路３０に出力する。
【００３８】
ここで、映像処理回路２０は、制御回路５０からの指示により映像信号に各種処理を施すことができる。例えば、カラー映像として入力された映像信号に対して映像処理を行うことにより、白黒映像に変換された映像信号を出力することができる。
【００３９】
表示制御回路３０は、映像処理回路２０から入力された映像信号の出力方法を制御する回路である。制御回路５０の指示により、例えば映像の表示位置を設定したり、表示を切り替える信号を出力したりする回路である。例えば、サイズと位置を指定することにより、ＬＣＤパネル３の任意の位置に映像を表示することができる。
【００４０】
ＬＣＤパネルコントロール回路４０は、表示制御回路３０から入力された表示制御信号に基づいてＬＣＤパネル３において映像を表示するための映像表示信号を出力する回路である。そして、ＬＣＤパネル３は、入力された映像表示信号に基づいた映像データを表示し、利用者は視認できることとなる。例えば、表示制御回路３０から入力された表示制御信号に基づいた映像を「２秒間」で表示すると言った制御命令が制御回路５０から入力されると、ＬＣＤパネルは「２秒間」かけて映像データがＬＣＤに表示されるように制御される。
【００４１】
制御回路５０は、入力される指示に応じて所定のプログラムに基づいた処理を実行し、各機能部への指示やデータの転送を行う。具体的には、制御回路５０は、記憶部６０に記憶されたプログラムを読み出し、当該プログラムに従って処理を実行する。また、制御回路５０は、映像表示制御装置１の各回路、各機能部を制御する。ここで、制御回路５０は、例えばＣＰＵ(Central Processing Unit)等により構成されている。
【００４２】
また、制御回路５０は、記憶部６０に記憶されたメインプログラム６１０に従ってメイン処理を、チャンネル切替プログラム６１２に従ってチャンネル切替処理を、切替前表示画面更新プログラム６１４に従って切替前表示画面更新処理を、切替後表示画面更新プログラム６１６に従って切替後表示画面処理をそれぞれ実行する。
【００４３】
記憶部６０は、制御回路５０が実行する各種プログラムや、これらのプログラムの実行にかかるデータ等を一時的に保持する随時書き込み可能なメモリである。記憶部６０には、表示パターンデータ格納領域６０２と、設定表示パターン格納領域６０４との領域が確保されており、メインプログラム６１０と、チャンネル切替プログラム６１２と、切替前表示画面更新プログラム６１４と、切替後表示画面更新プログラム６１６とを記憶している。なお、記憶部６０は、例えばＲＡＭ(Random Access Memory)やＨＤＤ(Hard-Disk Drive)等の記憶装置で構成されている。
【００４４】
表示パターンデータ格納領域６０２は、ＬＣＤパネル３に映像を表示する際の表示パターンについて格納している領域である。図２は、表示パターンデータ格納領域６０２のデータ構造の一例を示した図である。表示パターンデータ格納領域６０２は、パターン名（例えば、「パターン１」）に対応づけて、映像処理回路２０の制御内容（例えば、「色そのまま」）と、表示制御回路３０の制御内容（例えば、「縮小→拡大処理」）と、ＬＣＤパネルコントロール回路４０の制御内容（例えば、「２秒」）を記憶している。
【００４５】
設定表示パターン格納領域６０４は、表示パターンのうち選択されたものが格納されている領域である。制御回路は、設定表示パターン格納領域６０４に格納されている表示モードに従って処理を実行する。
【００４６】
入力部７０は、ユーザから操作の指示入力に必要なキー群を備えた入力装置であり、押下されたキーの信号を制御回路５０に出力する。この入力部７０におけるキー入力により、例えばチャンネル切替などの処理を行うことができる。
【００４７】
［動作］
続いて本実施形態における映像表示制御装置１の動作について説明する。図３は、メイン処理にかかる映像表示制御装置１の動作を説明するためのフローチャートである。このメイン処理は、制御回路５０が記憶部６０に記憶されているメインプログラム６１０を実行することによって実現される処理である。
【００４８】
まず、メイン処理が開始されると、ユーザにより選択されたチャンネルに対応する放送波を受信信号として受信し、受信信号を復調した後にＬＣＤパネル３に映像データを出力する。そして、表示パターンの設定操作がユーザにより入力されたか（入力部７０において設定操作信号を検出したか）否かを判定する（ステップＳ１０）。ここで、ユーザにより表示パターンの設定操作がなされた場合には（ステップＳ１０；Ｙｅｓ）、設定された表示パターンを設定表示パターン格納領域６０４に記憶する（ステップＳ１２）。
【００４９】
続いて、入力部７０からチャンネル切替操作がなされると（ステップＳ１４；Ｙｅｓ）、制御回路５０は後述するチャンネル切替処理を実行する（ステップＳ１６）。そして、ユーザにより受信終了の操作がなされると（ステップＳ１８；Ｙｅｓ）、メイン処理は終了し、放送波の受信を終了する。
【００５０】
つづいて、図４を用いてチャンネル切替処理について説明する。チャンネル切替処理は、メイン処理（図３）のステップＳ１６において実行される処理であり、制御回路５０が記憶部６０に記憶されているチャンネル切替プログラム６１２を実行することによって実現される処理である。
【００５１】
まず、制御回路５０は、切替前表示画面更新処理を実行する（ステップＳ３０）。切替前表示画面更新処理は、制御回路５０が記憶部６０に記憶されている切替前表示画面更新プログラム６１４を読み出して実行することにより、実現される処理である。具体的には、切替前チャンネルの表示が制御され、画面が更新表示されることとなる。そして、表示画面の更新が終了したと判断されると（ステップＳ３２；Ｙｅｓ）、チューナ回路１０が受信するチャンネルを新たなチャンネルが受信されるように切り替える（ステップＳ３４）。
【００５２】
続いて、制御回路５０は、切替後表示画面更新処理を実行する（ステップＳ３６）。切替後表示更新処理は、制御回路５０が記憶部６０に記憶されている切替後表示画面更新プログラム６１６を読み出して実行することにより、実現される処理である。具体的には、切替後のチャンネルの表示が制御され、画面が更新表示されることとなる。そして、表示画面の更新が終了したと判断されると（ステップＳ３８；Ｙｅｓ）、チャンネル切替処理を終了する。
【００５３】
ここで、切替前表示更新処理及び切替後表示更新処理について、具体的な動作について画面例の図を用いて説明する。
【００５４】
＜パターン１＞
まず、１つ目のパターンとして、表示パターンデータ格納領域６０２（図２参照）に記憶されている「パターン１」動作について説明する。図２に示すように、「パターン１」は、色はそのままで、表示制御としては「縮小→拡大」の処理が施され、この処理は「２秒」で完了することとなる。
【００５５】
図５は、パターン１の場合におけるＬＣＤパネル３に表示される表示画面Ｌ１００を模式的に示した図である。最初の段階で、表示領域Ｒ１００（表示画面Ｌ１００と同一の範囲）に映像が表示されている。
【００５６】
ここで、チャンネル切替操作が為されると、まず切替前表示画面更新処理（図４のステップＳ３０）が実行されることにより、表示されている映像データが縮小表示される。具体的には、現在表示領域Ｒ１００で表示されている映像データは、表示領域Ｒ１０２、Ｒ１０４、Ｒ１０６、Ｒ１０８と矢印Ｙ１方向に縮小されて段階的に表示されていくこととなる。ここで、表示する座標の開始位置、大きさ、範囲等は表示制御回路３０にて算出され、決定される。また、表示領域外の領域は、黒画面や白画面等が表示されている。
【００５７】
そして、映像データの大きさが所定の大きさ（表示領域Ｒ１０８の大きさ）になると、表示画面の更新終了と判定される（ステップＳ３２；Ｙｅｓ)。そして、選択されたチャンネルにチューナが切替えられ（ステップＳ３４）、切替後表示画面更新処理（ステップＳ３６）が実行される。切替後表示画面更新処理は、表示制御回路３０を制御することにより、映像データが縮小されている状態（表示領域Ｒ１０８の大きさで表示されている状態）を拡大し、等倍の大きさ（表示画面Ｌ１００と同じ大きさ）に表示する。
【００５８】
具体的には、最初表示領域Ｒ１０８にチャンネル切替後のチャンネルが表示される。そして、表示される映像データは、表示制御回路３０により調整され、表示領域Ｒ１０６、Ｒ１０４、Ｒ１０２、Ｒ１００と矢印Ｙ２方向に拡大されて段階的に表示されることとなる。そして、表示されている大きさが表示領域Ｒ１００となったときに、表示画面の更新が終了したと判定される（ステップＳ３８；Ｙｅｓ）。なお、実際は拡大・縮小処理は更に細かい段階にて処理されることにより、スムーズに表示されることになるが、ここでは説明の都合上５段階に切り替えて表示されているように説明している。
【００５９】
また、この表示領域Ｒ１００から表示領域Ｒ１０８に縮小され、切替後のチャンネルが表示された後に再度表示領域Ｒ１００まで表示される時間は、「２秒間」となるようにＬＣＤパネルコントロール回路４０において調整される。
【００６０】
図６は、実際の画面例を模式的に示した図である。まず、表示画面Ｌ２００（図６（ａ））の表示領域Ｒ２００には、映像データが表示されている。ここで、利用者によりチャンネル切替操作が為されると、表示されている映像データが縮小され、表示画面Ｌ２０２においては、表示領域Ｒ２０２に表示されることとなる（図６（ｂ））。また、表示領域Ｒ２０２の外は黒い画面（ミュート画面）が表示されている。
【００６１】
ここで、切替後のチャンネルが表示されているのが表示画面Ｌ２０４である（図６（ｃ））。ここで、表示画面Ｌ２０４の一部である表示領域Ｒ２０４には切替後の映像データが表示されている。
【００６２】
そして、その後映像データは拡大表示され、表示画面Ｌ２０６では（図６（ｄ））、表示領域Ｒ２０６に映像データが表示されることとなる。
【００６３】
このように、パターン１の画面例を用いることにより、縮小・拡大表示を行うことが出来るため、チャンネル切替時の付加価値を付けることができる。なお、ここでは、縮小された状態における画面例として黒い画面として説明したがこれに限られないことは勿論で得る。また、映像信号をバッファメモリ等に記憶することにより、画面切替時に前の画面等の内容を表示させることもできる。
【００６４】
＜パターン２＞
続いて２つ目のパターンとして、表示パターンデータ格納領域６０２（図２参照）に記憶されている「パターン２」動作について説明する。図２に示すように、「パターン２」は、映像処理回路２０を制御することにより色を消し（白黒映像）、表示制御としては「上→下」の処理が施され、この処理は「１秒」で完了することとなる。
【００６５】
図７は、パターン２の場合におけるＬＣＤパネル３に表示される表示画面Ｌ３００を模式的に示した図である。最初の段階で、表示領域Ｒ３００（表示画面Ｌ３００と同一の範囲）に映像が表示されている。
【００６６】
ここで、チャンネル切替操作が為されると、まず切替前表示画面更新処理（図４のステップＳ３０）が実行されることにより、上から下に向かってミュート画面が表示される。具体的には、まず、現在表示領域Ｒ３００に表示されている映像データの色が白黒の映像データに変換され表示される。続いて、画面上方から表示領域Ｒ３０２、Ｒ３０４、Ｒ３０６という矢印Ｙ５の方向にミュート画面が上書き表示されていく。
【００６７】
そして、ミュート画面が表示領域Ｒ３００と一致すると（表示画面全体がミュート画面になると）、表示画面の更新終了と判定される（ステップＳ３２；Ｙｅｓ）。そして、選択されたチャンネルにチューナが切替えられ（ステップＳ３４）、切替後表示画面更新処理（ステップＳ３６）が実行される。
【００６８】
切替後表示画面更新処理は、表示制御回路３０を制御することにより、画面上から下方向へ切替後のチャンネルの映像データが更新表示される。具体的には、画面上方から、表示領域Ｒ３０２、Ｒ３０４、Ｒ３０６という矢印Ｙ５の方向に切替後の映像データが表示されていく。そして、表示領域Ｒ３００と一致すると（表示画面全体が切替後の映像データの表示になると）、切替後の映像データは白黒のデータからカラーデータとして表示され、表示画面の更新終了と判定される（ステップＳ３８；Ｙｅｓ）。
【００６９】
また、ミュート画面が一度表示され、切替後の映像データが表示される時間は、「１秒間」となるようにＬＣＤパネルコントロール回路４０において調整される。
【００７０】
図８は、実際の画面例を模式的に示した図である。まず、表示画面Ｌ４００（図８（ａ））には映像データが画面全体に表示されている。ここで、切替前更新処理により、画面上方から下方向にミュート画面が表示されていく。表示画面Ｌ４０２（図８（ｂ））は、途中過程を示しているものである。ここで、表示領域Ｒ４０２ａには、ミュート画面として黒画面が表示されている。また、表示領域Ｒ４０２ｂには、切替前のチャンネルの映像データが白黒表示されている。
【００７１】
つづいて、表示画面Ｌ４０４（図８（ｃ））は、切替後表示処理の途中の様子を示した図である。表示領域Ｒ４０４ａには、切替後のチャンネルの映像データが白黒表示されている。また、表示領域Ｒ４０４ｂには、ミュート画面が表示されている。
【００７２】
そして、表示画面Ｌ４０６（図８（ｄ））は、切替後表示処理が終了した時の表示画面である。表示画面Ｌ４０６全体に切替後のチャンネルの映像データがカラー映像で画面全体に表示されている。
【００７３】
このように、本実施形態によれば、チャンネルを切り替える際の表示画面を制御することにより、画一的なチャンネル切替画面ではなく、様々な表示状態を用いてチャンネルを切り替えることができる。
【００７４】
［変形例］
なお、本実施形態においては、切替前表示画面更新処理において表示前の画面をミュート画面に更新し、切替後表示画面更新処理において表示後の画面を表示制御することとして説明したが、画面全体にミュート画面を表示しないこととしてもよい。
【００７５】
具体的には、図４のチャンネル切替処理において、ステップＳ３０及びステップＳ３２を実行せずにステップＳ３４から実行することとなる。この場合の動作例について図９を用いて説明する。
【００７６】
まず、図９の表示画面Ｌ５００（図９（ａ））は、切替前の映像データが、表示画面Ｌ５００と同一の表示領域Ｒ５００に表示されている。ここで、利用者によりチャンネル切替操作がなされると、制御回路５０はチューナ回路１０を制御することにより切替後のチャンネルを受信させる。そして、制御回路５０は、切替後表示画面更新処理を実行する（ステップＳ３６）。
【００７７】
具体的には、まず切替後の表示画面を表示させる表示領域Ｒ５０２を決定し、表示画面Ｌ５０２に表示する（図９（ｂ））。つづいて、表示領域Ｒ５０２に、切替後の映像データＲ５０４が表示される（図９（ｃ））。そして、図５の動作例で説明した矢印Ｙ３方向に切替後の画面を拡大表示し、表示画面Ｌ５０６の表示範囲と同一の表示領域Ｒ５０６に映像データを表示する（図９（ｄ））。
【００７８】
このように、一度画面全体をミュート画面に切替表示せずに、切替後の画面を表示することにより、高速にチャンネルを切替表示することが可能となり、また利用者に対して煩わしいミュート画面の表示を抑制することが可能となる。
【００７９】
また、本実施形態では、表示画面を更新する際に、ユーザにより設定されたパターンを用いて切り替えることとしたが、例えば、チャンネルを切り替える度に異なる方法にランダムで表示画面を更新することとしても良い。この場合、より多くの切替パターンを利用者は楽しむことが可能となる。
【００８０】
また、本実施形態においては、ミュート画面は黒レベルの画像を表示させることとして説明したが、例えば白い画面を表示させることとしても良いし、例えば一定の静止画を表示させることとしても良い。
【００８１】
また、本実施形態においては、表示装置としてＬＣＤ（液晶）パネルとして説明したが、これに限られず、例えばＣＲＴや、プラズマディスプレイ、ＥＬディスプレイ等の同様の表示装置で構成されても良い。
【００８２】
また、本実施形態において、表示パターンデータは２種類を用いて説明したが、これに限られず、様々な表示パターンを用いることが出来る。例えば、外側から長方形のミュート画面が中心に向かって描画される方法や、表示画面下方から上方に向かってミュート画面が表示される用にしても良い。
【００８３】
また、これらを表示パターンを組み合わせて利用することとしても良い。例えば、切替前表示画面更新処理においては、表示画面の上方から下方にかけてミュート画面が描画されることにより、ミュート画面が切替表示される。そして、切替後表示画面更新プログラムにおいては、中心から長方形の切替後表示画面が表示画面外側に向かって拡大表示されて行くことにより表示されることとしても良い。
【図面の簡単な説明】
【００８４】
【図１】本発明の映像表示制御装置に係るブロック図。
【図２】表示パターンデータ格納領域のデータ構成の一例を示した図。
【図３】メイン処理の動作フローを示した図。
【図４】チャンネル切替処理の動作フローを示した図。
【図５】切替前表示画面更新処理及び切替後表示画面更新処理の動作について示す図。
【図６】切替前表示画面更新処理及び切替後表示画面更新処理の画面例について示す図。
【図７】切替前表示画面更新処理及び切替後表示画面更新処理の動作について示す図。
【図８】切替前表示画面更新処理及び切替後表示画面更新処理の画面例について示す図。
【図９】変形例における動作例について示す図。
【符号の説明】
【００８５】
１  映像表示制御装置
１０  チューナ回路
２０  映像処理回路
３０  表示制御回路
４０  ＬＣＤパネルコントロール回路
５０  制御回路
６０  記憶部
６０２  表示パターンデータ格納領域
６０４  設定表示パターン格納領域
６１０  メインプログラム
６１２  チャンネル切替プログラム
６１４  切替前表示画面更新プログラム
６１６  切替後表示画面更新プログラム
７０  入力部
３  ＬＣＤパネル
ＡＮＴ  外部アンテナ
【図１】
2007129515.tif 000003
【図２】
2007129515.tif 000004
【図３】
2007129515.tif 000005
【図４】
2007129515.tif 000006
【図５】
2007129515.tif 000007
【図６】
2007129515.tif 000008
【図７】
2007129515.tif 000009
【図８】
2007129515.tif 000010
【図９】
2007129515.tif 000011